(57)【要約】【課題】  簡単な構造で、底部からの改ざん防止効果を有し、また組立性が良好で生産効率が良い包装箱を提供する。【解決手段】  一枚のブランクシートから一体的に打ち抜かれた箱体形成片１２からなり、互いに連接された側面１４，１６，１８，２０と、一側面１８に連続し底部分の一部を覆う底蓋片６６を有する。底蓋片６６の両側の側面１６，２０から延出した一対の下フラップ５４，７８には、底蓋片６６に糊付けされる糊付片５８，８２と、糊付片５８，８２の糊付部の周囲に形成された切込線６２，８６を有する。底蓋片６６が設けられた側面１８に対面する側面１４に連続して、底部分のほぼ全面を底蓋片６６の箱体内側に沿って閉鎖する内底片４０を備える。内底片４０は、所定位置に切断線４４を有し、底蓋片６６には、切断線４４に差し込まれてロックする突起片７０を備える。【選択図】図１
2006096351.tif 000002
【特許請求の範囲】
【請求項１】
一枚のブランクシートから一体的に打ち抜かれた箱体形成片からなり、この箱体形成片には、互いに連接された側面と、前記箱体形成片が組立状態のとき前記連接された側面で形成される箱体の一開口端部を閉鎖する底部分が設けられ、前記底部分は、前記一側面に連続し前記底部分の一部を覆う底蓋片と、この底蓋片の両側の側面から延出した一対の下フラップと、この下フラップに設けられ前記底蓋片に糊付けされる糊付片と、この糊付片に設けられた糊付部の周囲に形成された切込線と、前記底蓋片が設けられた前記側面に対面する側面に連続し前記底部分のほぼ全面を前記底蓋片の箱体内側に沿って閉鎖する内底片と、前記内底片の所定位置に設けられた切断線と、前記底蓋片に設けられ前記切断線に差し込まれてロックする突起片が設けられていることを特徴とする包装箱。
【請求項２】
前記切断線は、前記箱体形成片の必要部分を接着した後に組み立てる際に、前記突起片が前記内底片の外側面を摺動する軌跡に対して交差する方向に形成されているとともに、前記底蓋片と前記内底片が面一となる状態に組み立てられたときに前記突起片の基端部に一致する位置に形成され、前記切断線に連続して前記突起片が摺動する軌跡にほぼ沿うように形成されたガイド用切込部が設けられていることを特徴とする請求項１記載の包装箱。
【請求項３】
前記ガイド用切込部は、直線または曲線で形成されていることを特徴とする請求項２記載の包装箱。
【請求項４】
前記ガイド用切込部は、前記切込線により形成された透孔から成ることを特徴とする請求項２記載の包装箱。
【発明の詳細な説明】
【技術分野】
【０００１】
この発明は、薬剤や食品等の商品を収容する包装箱に関する。
【背景技術】
【０００２】
従来、特許文献１にあるように、薬剤や食品等の商品を収容する紙製の包装箱において、糊付け後にワンタッチで組み立て可能に形成され、底面内側には底面全体を覆う内底片が設けられた箱があった。この包装箱は、一枚のブランクシートから一体的に打ち抜かれた箱体形成片から成り、箱体形成片には、互いに連接された側面で形成される箱体の開口端部を閉鎖する蓋片が設けられている。そして、一側面に連続して内底片が設けられているものである。
【特許文献１】特開２００１−１４６２２５号公報
【発明の開示】
【発明が解決しようとする課題】
【０００３】
前記従来の特許文献1に開示されている技術の場合、底部からの改ざん防止効果を有しているが、箱底部を丁寧に開封することにより、痕跡を残すことなく改ざんが可能となるものであった。また、底部はワンタッチでロックされるような構造ではなく、底蓋片が不安定であり、組立性が十分に良好なものではなかった。
【０００４】
この発明は、上記従来の技術の問題点に鑑みてなされたものであり、簡単な構造で、組立性が良好で生産効率が良く、底部からの改ざん防止効果も有した包装箱を提供することを目的とする。
【課題を解決するための手段】
【０００５】
本発明は、一枚のブランクシートから一体的に打ち抜かれた箱体形成片からなる包装箱であり、この箱体形成片には、互いに連接された側面と、前記箱体形成片が組立状態のとき前記連接された側面で形成される箱体の一開口端部を閉鎖する底部分が設けられている。前記底部分は、前記一側面に連続し前記底部分の一部を覆う底蓋片と、この底蓋片の両側の側面から延出した一対の下フラップと、この下フラップに設けられ前記底蓋片に糊付けされる糊付片と、この糊付片に設けられた糊付部の周囲に形成された切込線と、前記底蓋片が設けられた前記側面に対面する側面に連続し前記底部分のほぼ全面を前記底蓋片の箱体内側に沿って閉鎖する内底片と、前記内底片の所定位置に設けられた切断線と、前記底蓋片に設けられ前記切断線に差し込まれてロックする突起片が設けられている。
【０００６】
また、前記切断線は、前記箱体形成片の必要部分を接着した後にワンタッチで組み立てる際に前記突起片が前記内底片の外側面を摺動する軌跡に対して交差する方向に、また前記底蓋片と前記内底片が面一となる状態に組み立てられたときに前記突起片の基端部に一致する位置に形成されている。そして、前記切断線に連続して前記突起片が摺動する軌跡にほぼ沿うように形成されたガイド用切込部が設けられている。
【０００７】
また、前記ガイド用切込部は、直線または曲線により形成されている。さらに、前記ガイド用切込部は、前記切込線により形成された透孔から成るものでも良い。
【発明の効果】
【０００８】
本発明の包装箱は、簡単な構造により、底部分は内底片と底蓋片が組立状態で互いにロックさせることができ、機械による自動組立や手作業の組立のいずれによっても安定して組み立てることができる。さらに、糊付片の改ざん防止用の切込線や内底片により、収容物の改ざんを防ぐことができ、安全に搬送や陳列をすることができる。
【発明を実施するための最良の形態】
【０００９】
以下、この発明の実施形態について図面に基づいて説明する。図１，図２はこの発明の第一実施形態を示すもので、この実施形態の包装箱１０は、厚紙などの一枚のブランクシートを打ち抜いて形成された箱体形成片１２を組み立てて形成されている。箱体形成片１２は、側面１４，１６，１８，２０が、互いに平行に連接して形成されている。さらに側面１４の側縁部には、包装箱１０の組立状態で側面２０の内側に糊付けされる糊付片２２が設けられている。そして糊付片２２と側面１４，１６，１８，２０とは、各々折罫線２４，２６，２８，３０で区切られている。
【００１０】
側面１４の、隣接する側面１６の連接方向に対して平行に位置する一方の端部には、上蓋片３２が折罫線３４で区切られて設けられている。そして、上蓋片３２には、さらに組立状態で側面１８の内側に差し込まれる差込片３６が折罫線３８で区切られて設けられている。
【００１１】
一方、側面１４の、折罫線３４と反対側の端部には、内底片４０が折罫線４２で区切られて設けられている。内底片４０は、上蓋片３２とほぼ同じ大きさであり、包装箱１０を組み立てたときに底部分のほぼ全面を覆う大きさに形成されている。内底片４０の、折罫線２６と折罫線４２の交点から、内底片４０の先端部４０ａの約４分の一の長さの位置に達する直線である折罫線４３が設けられている。
【００１２】
内底片４０の、中心よりやや折罫線４３に近づいた位置には、切断線４４が設けられている。切断線４４は、内底片４０の先端部４０ａ側に開口された略コの字形に形成され、コの字形の互いに平行な一対の直線部分の、折罫線４３から離れた部分は、先端部４０ａの、折罫線４３と反対側に位置する角部４０ｂに向かって延出する直線であるガイド用切込部４６となっている。ガイド用切込部４６の基端部は、内底片４０の先端部４０ａに対してほぼ直角な直線の当接部４８となっている。これにより、切断線４４のコの字形の内側は、内底片４０に対して揺動可能なフラップ４９となる。
【００１３】
側面１６の、側面１４の折罫線３４に隣接する端部には、ほぼ矩形の上フラップ５０が折罫線５２で区切られて設けられている。上フラップ５０は、隣接する側面１８側の角部付近が傾斜線で切り取られた形状である。側面１６の、折罫線５２と反対側の端部には、三角形状の下フラップ５４が折罫線５６で区切られて設けられている。下フラップ５４の、内底片４０側の傾斜した側縁部には、変形した五角形の糊付片５８が折罫線６０を介して設けられている。糊付片５８の中央には、部分的に繋がった円形の改ざん防止用の切込線６２が設けられ、切込線６２の内側は糊付部６４となる。切込線６２は、箱体形成片１２の厚み方向に半切り状態に切り込みを入れるものでも良く、表裏両側から半切り状態で切り込みを入れるものでも良い。
【００１４】
側面１８の、側面１６の折罫線５６に隣接する端部には、底蓋片６６が折罫線６８で区切られて設けられている。底蓋片６６の、折罫線６８に対して直角方向の長さは、内底片４０の半分程度に形成されている。底蓋片６６は、隣接する側面２０側の角部付近が傾斜線で切り取られた形状である。底蓋片６６の先端部６６ａには、先端部６６ａの中間よりもわずかに下フラップ５４側へ寄った位置に、先端部６６ａの側方へ突出する半円状の突起片７０が形成されている。突起片７０は、底蓋片６６の先端部６６ａに対して平行な幅が、内底片４０の切断線４４の幅よりもわずかに小さく形成され、差し込み可能である。突起片７０の、隣接する側面２０に近い部分は、底蓋片６６の先端部６６ａに対してほぼ直角な直線の当接部７２となっている。
【００１５】
側面２０の、側面１８の折罫線６８と反対側に位置する端部には、ほぼ矩形の上フラップ７４が折罫線７６で区切られて設けられている。上フラップ７４の、隣接する側面１８側の角部付近が、傾斜線で切り取られた形状である。側面２０の、折罫線７６と反対側の端部には、三角形状の下フラップ７８が折罫線８０で区切られて設けられている。下フラップ７８の、底蓋片６６側の傾斜した側縁部には、変形した五角形の糊付片８２が折罫線８４を介して設けられている。糊付片８２の中央には、部分的に破断した円形の改ざん防止用の切込線８６が設けられ、切込線８６の内側は糊付部８８となる。切込線８６は、箱体形成片１２の厚み方向に半切り状態に切り込みを入れるものでも良く、表裏両側から半切り状態で切り込みを入れるものでも良い。
【００１６】
次にこの実施形態の包装箱１０の組立方法について説明する。なお、ここでは、図１がこの包装箱１０の箱体形成片１２の表面側を見たものであり、図１において表面側が凸になる折り方を正折り、そして表面側が凹になる折り方を逆折りと称する。
【００１７】
まず、糊付片５８の糊付部６４と、糊付片８２の糊付部８８の裏面に、糊９０，９２を各々塗布し、折罫線５６，８０で下フラップ５４，７８を正折りしながら折罫線６０，８４で糊付片５８，８２を逆折する。折罫線４３で内底片４０を正折りし、折罫線６８で底蓋片６６を正折りする。次に糊付片２２の、表面に糊９４を塗布し、折罫線２６，３０を正折りする。このとき糊付片２２が、二つ折りされた側面２０と下フラップ７８の間に入るようにセットし、糊付片２２の表面を側面２０の裏面に糊付けする。同時に糊付片５８の糊付部６４裏面を内底片４０の表面に、糊付片８２の糊付部８６裏面を底蓋片６６の表面に、糊付けする。
【００１８】
そして、折罫線２４，２６，２８，３０を各々９０°に正折りして四角形の箱体にする。このとき、二つ折りされていた折罫線４２，５６，６８，８０は９０°に開き、内底片４０は折罫線４３が設けられて折れやすくされているため、側面１６にぶつかって止まることなく円滑に摺動しながら移動する。このとき、底蓋片６６と内底片４０は、一対の下フラップ５４，７８に、箱体外側から支持され、底部分を形成する。
【００１９】
ここで、この組立操作の後半では、底蓋片６６の突起片７０は内底片４０の表面を摺動し、切断線４４のガイド用切込部４６に差し込まれ、さらに深く差し込まれながら移動を続ける。そしてこの組立操作が終了するときに、フラップ４９を箱体内側に押して揺動させるようにしながら突起片７０は切断線４４に挿通されて包装箱１０の内側に切断線４４から突出する。すると、突起片７０の当接部７２と切断線４４の当接部４８が互いに対向して縁部同士が当接し、底蓋片６６が戻る方向に移動が不可能となる。これにより底蓋片６６と内底部４０はロックされ、不用意に畳まれることが無く、確実に底部分の形状を保つ。
【００２０】
この状態で商品を中に入れ、折罫線５２，７６で上フラップ５０，７４を正折りし、その後折罫線３４で上蓋片３２を正折りし、その後、折罫線３８を正折りして差込片３６を側面１８の内側に差し込む。上蓋片３２と側面１８を、例えば改ざん防止用のテープで止めて、改ざんを防止する。
【００２１】
このように組み立てられた包装箱１０は、商品が入った包装箱１０を底部分から開封しようとしても、底蓋片７０の内側には、底部分のほぼ全面を覆う内底片４０が設けられ、内底片４０の切断線４４に底蓋片６６の突起片７０がロックされているため、商品を底部分から取り出すことができない。また、糊付部６４，８８を内底片４０または底蓋片７０から剥がすように力を加えると、糊付部６４，８８周囲の切込線６２，８６の連結部分が破断され、開封した痕跡が残る。
【００２２】
一方、商品の使用後に包装箱１０を廃棄するため等により折り畳むときは、内底片４０と底蓋片６６を箱体内側に向かって一定以上の力で押す。すると、底蓋片６６の突起片７０が内底片４０の切断線４４の当接部４８を乗り越えてロックが解除され、底部分が外されて折罫線２６，３０で正折りされて平坦となり、廃棄しやすい状態となる。
【００２３】
この実施形態の包装箱１０によれば、簡単な構造によりワンタッチに箱体を形成することができ、内底片４０もロックすることができる。しかも、下フラップ５４，７８に連接した糊付片５８，８２が設けられ、包装箱１０の底蓋片６６が強固に底部分に保持され、底部分のほぼ全面を覆う内底片４０も、底蓋片６６に確実にロックされる。また、これにより容易に商品を底部分から取り出せない構造となっており、確実に収容物の改ざんを防ぐことができる。さらに、下フラップ５４，７８の横から包装箱１０の中に手を入れる等の力を加えると、下フラップ５４，７８の糊付部６４，８８周囲の、改ざん防止用の切込線６２，８６の連結部分が破断され、開封した痕跡が残る。このことからも、確実に改ざんを防止する効果がある。また、包装箱１０の底部は内底片４０と底蓋片６６が組立状態でロックするため、機械による自動組立でも手作業でも、安定して効率よく組み立てることができ、大量生産が可能である。
【００２４】
なお、この実施形態の包装箱１０は、例えば図３に示すように、内底片４０の切断線９６に形成されたガイド用切込部９８が、が折罫線４２側へ近づくように湾曲する曲線で設けられているものでも良い。ガイド用切込部９８の先端からは、内底片４０の先端部４０ａに向かう短い直線である直線部１００が連続して設けられている。また、底蓋片６６の突起片７０は、図１の包装箱１０に示す突起片７０ように当接部７２が設けられず、半円形に形成されている。  次に、この発明の包装箱の第二実施形態について、図４を基にして説明する。ここで、上記実施形態と同様の部材は同一符号を付して説明を省略する。この実施形態の包装箱１１０は、内底片４０が折罫線６８を介して側面１８から延出し、底蓋片６６が折り罫線４２を介して側面１４から延出している。内底片４０の中央部には、切断線１１２が設けられ、切断線１１２は、内底片４０の先端部４０ａ側に開口された略コの字形に形成されている。切断線１１２のコの字形の一対の直線部分の、折罫線３０から離れた方の部分は、角部４０ｂに向かって延びた透孔１１４を形成したガイド用切込部４６となっている。また、ガイド用切込部４６の基端部は、内底片４０の先端部４０ａに対してほぼ直角な直線の当接部４８となっている。これにより、切断線１１２のコ字形の内側は、内底片４０に対して揺動可能なフラップ４９となる。
【００２５】
底蓋片６６の先端部６６ａには、先端部６６ａのほぼ中間位置に、先端部６６ａの側方へ突出する略台形状の突起片１１６が形成されている。突起片１１６は、底蓋片６６の先端部６６ａに対して平行な幅が、内底片４０の切断線１１２の幅よりもわずかに小さく形成され、差し込み可能に形成されている。突起片１１６の、隣接する側面１６に近い部分は、底蓋片６６の先端部６６ａに対してほぼ直角な直線の当接部７２となっている。
【００２６】
この実施形態によっても上記実施けち後同様の効果を得ることができる。さらに、透孔１１４により、突出片１１６は内蓋片４０のガイド用切込部４６に入りやすく確実に係合する。
【００２７】
この実施形態による透孔１１４を形成したガイド用切込部４６は、図５に示すように、切断線１１２の２辺の全長に沿って形成されていても良い。これにより、透孔１１４の内側であって切断線１１２の１辺の内側が、内底片４０に対して揺動可能なフラップ４９となる。
【００２８】
また、ガイド用切込部４６を形成する透孔１１４は、図６に示すように、切断線１１２の全長に沿って形成されていても良い。これにより、透孔１１４の内側であって切断線１１２の１辺の内側が、内底片４０に対して揺動可能なフラップ４９となる。
【００２９】
その他、ガイド用切込部４６を形成する透孔１１４は、図７に示すように、略台形状の切断線１１２により囲まれて形成されたものでも良い。
【００３０】
なお、この発明の包装箱は、上記実施の形態に限定されるものではなく、内底片の切断線の位置や大きさは、底蓋片の突起片の位置や大きさ、形状に合わせて互いに確実に組み合わされるものであれば、自由に変更可能である。また、切断線に連続するガイド用切込部の形状も、直線や曲線など、自由に変更可能である。各側面や上蓋片等の大きさは、中に入れる商品に合わせて適宜変更可能である。またこの発明の箱体形成片の底部分の構造を上蓋部分等、他の位置に設けても良い。
【図面の簡単な説明】
【００３１】
【図１】この発明の第一実施形態の包装箱の展開図である。
【図２】この発明の第一実施形態の包装箱の部分破断斜視図である。
【図３】この発明の第一実施形態の包装箱の変形例を示す展開図である。
【図４】この発明の第二実施形態の包装箱の展開図である。
【図５】この発明の第二実施形態の変形例の包装箱の展開図である。
【図６】この発明の第二実施形態の変形例の包装箱の展開図である。
【図７】この発明の第二実施形態の変形例の包装箱の展開図である。
【符号の説明】
【００３２】
１０  包装箱
１２  箱体形成片
１４，１６，１８，２０  側面
２２，５８，８２  糊付片
３２  上蓋片
３６  差込片
４０  内底片
４４  切断線
４６  ガイド用切込部
５０，７４  上フラップ
５４，７８  下フラップ
６２，８６  切込線
６６  底蓋片
７０  突起片
９０，９２，９４  糊
【図１】
2006096351.tif 000003
【図２】
2006096351.tif 000004
【図３】
2006096351.tif 000005
【図４】
2006096351.tif 000006
【図５】
2006096351.tif 000007
【図６】
2006096351.tif 000008
【図７】
2006096351.tif 000009